(57)【特許請求の範囲】
【請求項１】
互いに等濃度である複数種類のトレーサーを複数の水中にそれぞれ投入して均等に混合するとともに、前記複数種類のトレーサーを添加した複数の水を、内側から外側に順番に層に分けて凍らせ、作成した氷層を重ね合わせて氷河モデルを確立し、氷河モデルの体積および質量を記録し、
氷河モデル周囲の環境要因を調節し、氷河モデルの互いに異なる複数の環境要因条件下のそれぞれで、融解した水試料を収集して質量を測定し、且つ前記水試料中における前記複数種類のトレーサーのそれぞれの濃度を測定し、
記録された氷河モデルの体積および質量と、測定された水試料の質量および前記複数種類のトレーサーの濃度とに基づいて得られた、各環境要因条件下における、前記複数種類のトレーサーを含む複数の前記氷層が融解した各水試料の質量、各氷層の融解速度および位置から、現実に存在する氷河の消耗プロセスを推測することを含むことを特徴とするトレーサー技術に基づく氷河消耗の観測方法。
【請求項２】
前記環境要因が、温度、圧の強さ、および気流を含むことを特徴とする請求項１に記載のトレーサー技術に基づく氷河消耗の観測方法。
【請求項３】
前記氷河モデルの各環境要因条件下における各氷層が融解した水試料の質量△ｍiおよび水試料体積△Ｖiの具体的な計算方法は次のとおりであり、
△ｍi＝△ｍ＊△Ｃi／△Ｃ
△Ｖi＝△ｍi／ｇ
式中、△ｍiは、氷河モデルの各氷層が融解した水試料の質量であり、△ｍは、氷河モデルの融解した水試料の総質量であり、△Ｃiは、氷河モデルの各氷層が融解した水試料中のトレーサー濃度であり、△Ｃは、水試料中のトレーサー濃度の総和であり、△Ｖiは、氷河モデルの各氷層の体積であり、ｇは、氷河モデルの密度であることを特徴とする請求項１に記載のトレーサー技術に基づく氷河消耗の観測方法。
【請求項４】
前記氷河モデルの各環境要因条件下における各氷層の融解速度ｖiの具体的な計算方法は次のとおりであり、
ｖi＝△Ｖi／ｔ
式中、ｖiは、氷河モデルの各氷層の融解速度であり、△Ｖiは、氷河モデルの各氷層の体積であり、ｔは、氷河モデルの融解時間であることを特徴とする請求項３に記載のトレーサー技術に基づく氷河消耗の観測方法。
【請求項５】
現実に存在する氷河の融解速度ｖrの具体的な計算方法は、
ｖr＝ａr＊Ｖr
であり、融解速度平均変化量ａrの具体的な計算方法は
ａr＝Σ（ｄｖi／ｄ△Ｖi）／ｎ
であり、式中、ａrは、氷河モデルの融解速度平均変化量であり、ｄｖi／ｄ△Ｖiは、氷河モデルの各氷層の融解速度変化量であり、ｖrは、現実に存在する氷河の融解速度であり、ｄｖiは、各氷層の局所融解速度であり、Ｖrは、現実に存在する氷河の実際の体積であることを特徴とする請求項４に記載のトレーサー技術に基づく氷河消耗の観測方法。 
【発明の詳細な説明】
【技術分野】
【０００１】
本発明は、トレーサー技術に基づく氷河消耗の観測方法に関する。 
【背景技術】
【０００２】
「Ｗｏｒｌｄ  Ｇｌａｃｉｅｒ  Ｉｎｖｅｎｔｏｒｙ」および「中国氷河目録」の最新統計によれば、地球上の氷河の面積は１５，８６５，７５６ｋｍ2であり、そのうち９６．６％が南極およびグリーンランドに分布しており、北アメリカ州（１．７％）およびアジア州（１．２％）がそれに続く。これらの氷河は、人類の活動との関係が密接であり、その縮小拡大と山地周囲で暮らす人々との関係はさらに密接である。
【０００３】
氷河は、気候変動の指標として、地球温暖化の傾向の下で後退が加速する傾向にある。氷河消耗は、海面上昇の加速、地域の水循環、水資源の利用可能性のすべてに対して重要な影響を及ぼす。現在、氷河の蓄積量（体積）の変化を研究する方法として、主に従来型の測定方法、統計公式法、氷河地形測定法、リモートセンシング観測法が挙げられる。しかしながら、これらの方法は、いずれも氷河蓄積量（体積）の変化の研究に基づくものであり、氷河の融解の物理的なプロセスの点からその融解のメカニズムを研究するものはない。また、大部分の研究方法は、多くの時間、費用、労力を要し、屋外条件による制約を受け易い。本発明は、試験所の条件下で氷の融解実験を行うものであり、簡単に行うことができ、時間と労力を節減でき、結果は正確で、信頼性が高い。 
【０００４】
氷の融解現象は、自然界においてよく見られる物理現象であり、非定常熱伝導プロセスであり、このプロセスは相転移を伴う。氷の融解速度に対して影響を及ぼす要因は多く、直観的には、主に、温度の高低による影響、気流による影響、外部環境中の湿度による影響、氷の表面積の大きさによる影響、氷が受ける圧（気体や固体の圧力）の強さによる影響、氷中の不純物による影響などが挙げられる。
【０００５】
氷河消耗の方式には、表面消耗、内部消耗、底面消耗があり、表面消耗を主とする。氷河消耗の研究は、氷河の縮小拡大を分析、予測するための重要な手段であり、河川流入状况を理解し、氷河資源を開発利用するための基礎である。氷河領域の流出（消耗）および合流のプロセスについて定量的シミュレーションを行うことにより、氷河水資源の変化および管理、氷河洪水予防および氷河水エネルギー利用などのために理論的な根拠を提供することができる。また、氷河内の水流運動に対する理解、氷河内部の圧力の分布、氷河の摺動およびサージ、ならびに氷河湖決壊などに対する氷河の動力学的研究が極めて重要である。氷河の変化を定量的に評価することは、乾燥地帯の流域／地域の水資源管理、海面上昇および氷河自然災害の予防などにとって、非常に重要である。 
【発明の概要】
【０００６】
本発明は、氷河モデルを確立して氷河消耗プロセスをシミュレーションすることにより、さらに現実に存在する氷河の消耗速度を導き出すトレーサー技術に基づく氷河消耗の観測方法であって、推算結果の誤差が小さく、操作が便利な観測方法を提供することを目的とする。 
【０００７】
上記技術的課題を解決するため、本発明は、次のステップを含む、トレーサー技術に基づく氷河消耗の観測方法を提供する。
１、互いに等濃度である複数種類のトレーサーを複数の水中にそれぞれ投入して均等に混合するとともに、前記複数種類のトレーサーを添加した複数の水を、内側から外側に順番に層に分けて凍らせ、作成した氷層を重ね合わせて氷河モデルを確立し、氷河モデルの体積および質量を記録する。
２、氷河モデル周囲の環境要因を調節し、氷河モデルの互いに異なる複数の環境要因条件下のそれぞれで、融解した水試料を収集して質量を測定し、且つ前記水試料中の前記複数種類のトレーサーのそれぞれの濃度を測定する。
３、記録された氷河モデルの体積および質量と、測定された水試料の質量および前記複数種類のトレーサーの濃度とに基づいて得られた、各環境要因条件下における、前記複数種類のトレーサーを含む複数の前記氷層が融解した各水試料の質量、各氷層の融解速度および位置から、現実に存在する氷河の消耗プロセスを推測する。
なお、環境要因は、温度、圧の強さおよび気流を含む。
また、氷河モデルの各環境要因条件下における各氷層が融解した水試料の質量△ｍiおよび水試料体積△Ｖiの具体的な計算方法は次のとおりである。
△ｍi＝△ｍ＊△Ｃi／△Ｃ
△Ｖi＝△ｍi／ｇ
式中、△ｍiは、氷河モデルの各氷層が融解した水試料の質量であり、△ｍは、氷河モデルの融解した水試料の総質量であり、△Ｃiは、氷河モデルの各氷層が融解した水試料中のトレーサー濃度であり、△Ｃは、水試料中のトレーサー濃度の総和であり、△Ｖiは、氷河モデルの各氷層の体積であり、ｇは、氷河モデルの密度である。
また、氷河モデルの各環境要因条件下における各氷層の融解速度ｖiの具体的な計算方法は次のとおりである。
ｖi＝△Ｖi／ｔ
式中、ｖiは、氷河モデルの各氷層の融解速度であり、△Ｖiは、氷河モデルの各氷層の体積であり、ｔは、氷河モデルの融解時間である。
また、現実に存在する氷河の融解速度ｖrの具体的な計算方法は次のとおりである。
ｖr＝  ａr＊Ｖr
式中、ａrは、氷河モデルの融解速度平均変化量であり、
ａr＝Σ（ｄｖi／ｄ△Ｖi）／ｎ
と表される。ここで、ｄｖi／ｄ△Ｖiは、氷河モデルの各氷層の融解速度変化量であり、ｖrは、現実に存在する氷河の融解速度であり、ｄｖiは、各氷層の局所融解速度であり、Ｖrは、現実に存在する氷河の実際の体積である。 
【０００８】
本発明の有益な効果は以下のとおりである。本願は、氷河モデルを確立することにより、現実に存在する氷河の消耗速度を計算し、さらに現実に存在する氷河の消耗モニタリングを実現する。かつ、本願は、水試料中のトレーサーの含有量を測定することにより、各氷層の融解速度を導き出し、各氷層の融解速度により、氷河モデルの融解速度平均変化量を得て、最後に、氷河モデルの融解速度平均変化量に基づき、現実に存在する氷河の融解速度を導き出す。本方法により得られる氷河の融解速度は、正確性が高く、現実に存在する氷河の融解速度を正確に計算することができる。 
【発明を実施するための形態】
【０００９】
次に、当業者が本発明について理解することができるように、本発明の具体的な実施形態について記述するが、本発明は、具体的な実施形態の範囲に限定されず、当業者にとって、各種変更が、特許請求の範囲で限定され確定された本発明の趣旨および範囲内にあるものでありさえすれば、これらの変更は自明なものであり、本発明の構想を用いた一切の発明は、いずれも保護されることを明確にされたい。
【００１０】
トレーサー技術に基づく氷河融解の観測方法
実施例１：この方法は、次のステップを含む。
ステップ１：互いに等濃度である複数種類のトレーサーを複数の水中にそれぞれ投入して均等に混合するとともに、前記複数種類のトレーサーを添加した複数の水を、内側から外側に順番に層に分けて凍らせ、作成した氷層を重ね合わせて氷河モデルを確立し、氷河モデルの体積および質量を記録する。
ステップ２：氷河モデル周囲の環境要因を調節し、氷河モデルの互いに異なる複数の環境要因条件下のそれぞれで、融解した水試料を収集して質量を測定し、且つ前記水試料中の前記複数種類のトレーサーのそれぞれの濃度を測定する。
ステップ３：記録された氷河モデルの体積および質量と、測定された水試料の質量および前記複数種類のトレーサーの濃度とに基づいて得られた、各環境要因条件下における、前記複数種類のトレーサーを含む複数の前記氷層が融解した各水試料の質量、各氷層の融解速度および位置から、現実に存在する氷河の消耗プロセスを推測する。 
【００１１】
実施例２：
実施例１に記載の環境要因とは、具体的には、温度、圧の強さ、および気流を言う。
実施例３：
実施例のうち１に記載の氷河モデルの異なる条件下における各氷層が融解した水試料の質量△ｍIおよび水試料体積△Ｖiの具体的な計算方法は次のとおりである。
△ｍi＝△ｍ＊△Ｃi／△Ｃ
△Ｖi＝△ｍi／ｇ
式中、△ｍiは、氷河モデルの各氷層が融解した水試料の質量であり、△ｍは、氷河モデルの融解した水試料の総質量であり、△Ｃiは、氷河モデルの各氷層が融解した水試料中のトレーサー濃度であり、△Ｃは、水試料中のトレーサー濃度の総和であり、△Ｖiは、氷河モデルの各氷層の体積であり、ｇは、氷河モデルの密度である。
【００１２】
実施例４：
実施例３における氷河モデルの各氷層の体積により、氷河モデルの異なる条件下における各氷層の融解速度ｖiを得ることができ、その具体的な計算方法は次のとおりである。
ｖi＝△Ｖi／ｔ
式中、ｖiは、氷河モデルの各氷層の融解速度であり、△Ｖiは、氷河モデルの各氷層の体積であり、ｔは、氷河モデルの融解時間である。
【００１３】
実施例５：
実施例４における氷河モデルの各氷層の融解速度により、現実に存在する氷河の融解速度ｖrを得ることができ、その具体的な計算方法は次のとおりである。
ｖr＝ａr＊Ｖr
式中、ａrは、氷河モデルの融解速度平均変化量であり、
ａr＝Σ（ｄｖi／ｄ△Ｖi）／ｎ
と表される。ここで、ｄｖi／ｄ△Ｖiは、氷河モデルの各氷層の融解速度変化量であり、ｖrは、現実に存在する氷河の融解速度であり、ｄｖiは、各氷層の局所融解速度であり、Ｖrは、現実に存在する氷河の実際の体積である。